(57)【要約】  【課題】  箱棒、蝶棒は構造が簡単で、特に箱棒は逆開きスライダー内で的確に保持し、簡易に嵌挿操作ができるスライドファスナー用逆開き具を提供する。  【解決手段】  金属製の箱棒５、蝶棒６は一側縁に開口部を設けた断面Ｕ字状に形成し、箱棒５は開口部の下端に側方へ突出して逆開きスライダー３のフランジ３１と係止するストッパー２２を設け、箱棒５はストッパー２２と逆開きスライダー３のフランジ３１、内側縁部１９とフランジ内側面３２、外側縁部２０の下端と案内柱３０の三箇所で的確に保持し、蝶棒６は突片２７の上端に突部２８を設けて逆開きスライダー３に挿入したとき、箱棒５に設けた突片２５の端部に当接してそれ以上の挿入を規制する逆開き具である。【選択図】  図９
2005245859.tif 000002
【特許請求の範囲】
【請求項１】
金属製の箱棒５、蝶棒６は上壁１５、下壁１６、側壁１７から形成して一側縁に開口部１８を設けた断面Ｕ字状に形成し、箱棒５は開口部１８の下端において上壁１５と下壁１６から側方へ突出し、逆開きスライダー３のフランジ３１と係止するストッパー２２を設け、該ストッパ−２２の先端を封止して空洞部２３を形成してなることを特徴とするスライドファスナー用逆開き具。
【請求項２】
箱棒５は、ストッパー２２における上壁１５と下壁１６の表面に窪み部２４を形成してなる請求項１記載のスライドファスナー用逆開き具。
【請求項３】
箱棒５におけるストッパー２２は、ファスナーテープ２の端部１１の外側に間隙をおいて配設してなる請求項１記載のスライドファスナー用逆開き具。
【請求項４】
箱棒５と蝶棒６は各々の側壁１７から前方へ突出する突片２５、２７を設け、各突片２５、２７は箱棒５と蝶棒６とが対向したときに重合し、蝶棒６の突片２７には箱棒５の突片２５と当接し、蝶棒６の逆開きスライダー３内への移動を停止させる突部２８を形成してなる請求項１記載のスライドファスナー用逆開き具。
【請求項５】
箱棒５は、ストッパー２２と逆開きスライダー３とが係合したとき、箱棒５の外側縁部２０が逆開きスライダー３の案内柱３０に当接し、箱棒５の内側縁部１９が逆開きスライダー３のフランジ内側面３２に当接し、箱棒５を逆開きスライダー３内に保持してなる請求項１記載のスライドファスナー用逆開き具。
【発明の詳細な説明】
【技術分野】
【０００１】
この発明は、前開きの衣服、例えばジャンパー、オーバーコートなどに用いるスライドファスナーであって、ファスナーの端部に取り付けて左右のファスナーストリンガーを開離、嵌挿ができる金属製の逆開き具に関するものである。
【背景技術】
【０００２】
従来、スライドファスナーの左右のファスナーストリンガーの端部に取り付けてストリンガーを開離し、また嵌挿して閉鎖させる金属製の開き具は、単に断面Ｕ字状に形成した箱棒を箱体と一体にダイカストにより作製しファスナーテープの側縁にかしめ固定するか、または箱体と箱棒とを別体に作製し、箱棒を箱体にかしめ付けた後、ファスナーテープの側縁に取り付け、この箱体に他のストリンガーに取り付けた蝶棒を挿入してスライダーにより閉鎖することが知られている。
【０００３】
さらに、図１２に示すように、スライドファスナーの逆開き具における金属製の箱棒は、内向きフランジを有するＵ字溝のチューブの先端に平板状のストッパーを側方へ突出する形状にプレス加工して箱棒を作製し、逆開きスライダーをストッパーで受け止めるように形成した逆開き具が知られている。
【特許文献１】イギリス特許出願公告第６２４３３４号明細書
【発明の開示】
【発明が解決しようとする課題】
【０００４】
前述のスライドファスナーにおける左右のファスナーストリンガーの端部に取り付けて、左右のストリンガーを開離し、また嵌挿して閉鎖させる金属製の箱体と箱棒および蝶棒は、逆開き具としては用いることはできない。図１２に示した金属製の逆開き具の箱棒は、ストッパーと箱棒とはプレス加工した箱棒であり、箱棒の加工が複雑で一挙に作製することができない。またファスナーテープの側縁へ取り付けるための自動部品供給工程には適しない形態であり、取り付け作業が面倒であるなど問題点がある。
【０００５】
この発明は、上述の問題点を考慮して発明されたものであり、請求項１記載の発明は、逆開き具における箱棒と蝶棒の構造が簡単で一挙に作製することができ、しかもファスナーテープの側縁へ取り付けるための自動部品供給装置を利用して整然と効率よく供給作業が実施できる、金属ダイカスト製の逆開き具を提供することが主たる目的である。
【０００６】
請求項２記載の発明は、請求項１記載の発明の目的に加え、箱棒のかしめ加工による塑性変形を容易に行え、確実かつ体裁よく取り付けることができる金属ダイカスト製の逆開き具を提供することが目的である。
【０００７】
請求項３記載の発明は、請求項１記載の発明の目的に加え、ストッパーをファスナーテープの端部の外側に間隙をおいて配し、ストッパーの停止機能がファスナーテープの端部に及ばない形態に形成して耐久性のある金属ダイカスト製の逆開き具を提供することが目的である。
【０００８】
請求項４記載の発明は、請求項１記載の発明の目的に加え、逆開き具に対するファスナーチエンの表裏方向への突き上げ力に対する強度を向上させ、かつ蝶棒のスライダー内への挿入限度を規定し、箱棒と蝶棒の相対的位置を確実に位置決めすることができる金属ダイカスト製の逆開き具を提供することが目的である。
【０００９】
請求項５記載の発明は、請求項１記載の発明の目的に加え、逆開きスライダー内において箱棒の収納姿勢を的確に保持し、箱棒と逆開きスライダーとの係合が確実に維持できる金属ダイカスト製の逆開き具を提供することが目的である。
【課題を解決するための手段】
【００１０】
前記の目的を達成するため、この発明のうち請求項１記載の発明は、逆開き具における金属製の箱棒５、蝶棒６はそれぞれ上壁１５、下壁１６、側壁１７から形成して一側縁に開口部１８を設けた断面Ｕ字状に形成し、このうち箱棒５は開口部１８の下端において上壁１５と下壁１６から側方へ突出し、逆開きスライダー３のフランジ３１と当接して係止するストッパー２２を設け、このストッパー２２の先端に架橋片３０を架設して封止し、全体が空洞化した空洞部２３を形成したスライドファスナー用逆開き具を主な構成とするものである。
【００１１】
請求項２記載の発明は、請求項１記載の発明の構成に加え、逆開き具における箱棒５は、ストッパー２２を形成する上壁１５と下壁１６の表面に凹状の窪み部２４を形成したスライドファスナー用逆開き具である。
【００１２】
請求項３記載の発明は、請求項１記載の発明の構成に加え、箱棒５に形成するストッパー２２は、ファスナーテープ２の端部１１の外側に間隙をおいて配設したスライドファスナー用逆開き具である。
【００１３】
請求項４記載の発明は、請求項１記載の発明の構成に加え、箱棒５と蝶棒６はそれぞれ側壁１７から前方すなわち対向方向へ向けて突出する突片２５、２７を設け、各突片２５、２７は箱棒５と蝶棒６とが対向したとき上下に重合することができ、蝶棒６の突片２７には箱棒５の突片２５と当接し、蝶棒６が逆開きスライダー３内へ限度以上に嵌入することを阻止する突部２８を形成したスライドファスナー用逆開き具である。
【００１４】
請求項５記載の発明は、請求項１記載の発明の構成に加え、箱棒５は、ストッパー２２と逆開きスライダー３とが係合したとき、箱棒５の外側縁部２０が逆開きスライダー３に設置された案内柱３０に当接し、また箱棒５の内側縁部１９は逆開きスライダー３のフランジ内側面３２に当接し、箱棒５を逆開きスライダー３において的確な位置に保持できるスライドファスナー用逆開き具である。
【発明の効果】
【００１５】
この出願の発明の効果として、請求項１記載の発明は、金属製の箱棒、蝶棒は上壁、下壁、側壁から形成して一側縁に開口部を設けた断面Ｕ字状に形成し、箱棒は開口部の下端において上壁と下壁から側方へ突出し、逆開きスライダーのフランジ３１と係止するストッパーを設け、該ストッパ−の先端を封止して空洞部を形成したことによって、下記の効果を奏する。
【００１６】
この発明の逆開き具における箱棒および蝶棒の構造が簡単でダイカスト加工によって一挙に作製でき、箱棒および蝶棒をかしめ加工によって取り付ける際、上壁と下壁が長手方向全体で塑性変形するので、特に箱棒のストッパーの存在が全体の変形を阻害することがない。またストッパーを空洞化することにより、箱棒をバレル研磨機、自動部品供給装置等で加工する際、箱棒が互いに絡み合うことがなく整然と研磨、供給することができる効果がある。
【００１７】
請求項２記載の発明は、請求項１記載の発明の効果に加え、箱棒は、ストッパーにおける上壁と下壁の表面に窪み部を形成したことによって、箱棒をかしめ加工するとき、箱棒が全長にわたり塑性変形ができ、箱棒を確実かつ体裁よく取り付けることができる効果がある。
【００１８】
請求項３記載の発明は、請求項１記載の発明の効果に加え、箱棒におけるストッパーは、ファスナーテープの端部の外側に間隙をおいて配設したことによって、ストッパーがファスナーテープの端部外に間隙をおいて位置するので、逆開きスライダーの摺動をストッパーが受け止めたとき、ファスナーテープの端部には負荷がかからないから、耐久性のある逆開き具に仕上げられ、長期にわたって円滑に使用できる効果がある。
【００１９】
請求項４記載の発明は、請求項１記載の発明の効果に加え、箱棒と蝶棒は各々の側壁から前方へ突出する突片を設け、各突片は箱棒と蝶棒とが対向したときに重合し、蝶棒の突片には箱棒の突片と当接し、蝶棒の逆開きスライダー内への移動を停止させる突部を形成したことによって、逆開き具に表裏方向の突き上げ力が加わっても箱棒と蝶棒の位置関係が乱れることなく、ファスナーエレメントの下端部から噛合状態が分離してしまうことがない。また蝶棒のスライダー内への必要以上に嵌入し差し込むのを阻止し、箱棒と蝶棒の対向位置を確実に位置決めすることができる効果がある。
【００２０】
請求項５記載の発明は、請求項１記載の発明の効果に加え、箱棒は、ストッパーと逆開きスライダーとが係合したとき、箱棒の外側縁部が逆開きスライダーの案内柱に当接し、箱棒の内側縁部が逆開きスライダーのフランジ内側面に当接し、箱棒を逆開きスライダー内に保持したことによって、箱棒は逆開きスライダー内で三箇所で支持され、箱棒の収納姿勢を的確に保持し、ストッパーと逆開きスライダーとの係合状態を確実に維持することができる効果があるなど、この発明が奏する効果はきわめて顕著である。
【発明を実施するための最良の形態】
【００２１】
この発明におけるスライドファスナー用逆開き具は、図１に示すように一対のファスナーテープ２の対向側縁に沿ってファスナーエレメント７を取り付けた左右のファスナーストリンガー１の下端に、一方は箱棒５、他方に蝶棒６をそれぞれ取り付け、左右のファスナーストリンガー１の上方には上開きスライダー４を挿通し、下方には逆開きスライダー３を対向して挿通し、この逆開きスライダー３と箱棒５、蝶棒６とによって逆開き具を構成する。逆開き具の箱棒５、蝶棒６は亜鉛合金またはアルミニウム合金を用いてダイカスト成形によって作製する。
【００２２】
逆開き具の箱棒５は、図２に示すようにファスナーストリンガー１の側縁に取り付けたファスナーエレメント７に連接してファスナーテープ２の端部表裏面に樹脂製フィルム８などを貼着した補強部１２に箱棒５をかしめて取り付ける。箱棒５は上壁１５、下壁１６、側壁１７から形成して一側縁に開口部１８を設けた断面Ｕ字状に形成し、この開口部１８にファスナーテープ２の補強部１２を挿入し、上壁１５、下壁１６を加圧して塑性変形させ、上壁１５と下壁１６が補強部１２を挟み付けるとともに、上壁１５、下壁１６の内面に対向して突設した係止突部２１をファスナーテープ２に食い込ませる。上壁１５と下壁１６の塑性変形は、箱棒５の長手方向全長にわたって行われ、ストッパー２２における上壁１５と下壁１６の表面には、弧状の窪み部２４が形成される。
【００２３】
箱棒５は、側壁１７側の外側縁部２０が略直線状に形成し、側壁１７とは反対側の内側縁部１９には突起状の係止突部２１を外側縁部２０に平行して開口部１８内へ突出する形に設け、箱棒５の下端には図５に示すように開口部１８の先端から側方へ上壁１５、下壁１６とを延設してストッパー２２を形成し、このストッパー２２の先端に架橋片２６を上壁１５と下壁１６に架設して先端を封止することにより空洞部２３を形成する。側方へ突出するストッパー２２は、ファスナーテープ２の端部１１から間隙をおいてファスナーテープ２に干渉することなく配設して箱棒５をファスナーストリンガー１に取り付ける。さらに箱棒５の側壁１７には蝶棒６と対向する方向へ突出する突片２５を設ける。
【００２４】
蝶棒６は上壁１５、下壁１６、側壁１７から形成して一側縁に開口部１８を設けた断面Ｕ字形に形成し、この開口部１８にファスナーテープ２の補強部１２を挿入し、上壁１５と下壁１６とを加圧して挟着する。側壁１７には箱棒５の突片２５と重合できる突片２７を突設し、かつこの突片２７の上端すなわちファスナーエレメント７側に図９に示すように突出頂面が突片２７の頂面と水平状に突出する鍵形の突部２８を設け、蝶棒６を上開きスライダー４および逆開きスライダー３に挿入したとき、突片２７が箱棒５の突片２５と重合し、かつ突片２５の端部に突部２８が当接して係止する形態に形成して蝶棒６が適正な位置に停止できるように形成するものである。
【実施例】
【００２５】
図１〜１１に示す実施例のスライドファスナー用逆開き具について説明すると、図１に示すように左右のファスナーストリンガー１は、一対のファスナーテープ２の対向側縁に配設した膨大状の芯部１０に金属例えば亜鉛合金またはアルミニウム合金から作製したファスナーエレメント７を装着してファスナーストリンガー１を形成し、この左右のファスナーストリンガー１を開離、閉鎖できる上開きスライダー４を挿通して上端に上止９を取り付ける。またファスナーストリンガー１の下方には、上開きスライダー４と向きを逆に配置した逆開きスライダー３を挿通し、一方のファスナーストリンガー１の下端に箱棒５を取り付け、他方のファスナーストリンガー１の下端に蝶棒６を取り付ける。この箱棒５と蝶棒６および逆開きスライダー３とによって逆開き具を形成する。
【００２６】
箱棒５は図２〜５に示すように、箱棒５には上壁１５、下壁１６および上壁１５と下壁１６の一側縁部を連結する側壁１７から形成して一側縁に開口部１８を長手方向に設けた断面Ｕ字状に形成し、箱棒５の外側縁部２０すなわち側壁１７の外面は略直線状を呈し、内側縁部１９すなわち側壁１７とは反対側で、上壁１５と下壁１６の側端縁には外側縁部２０と平行して開口部１８内へ突出する突起状の係止突部２１を箱棒５の長手方向に連続状に設ける。開口部１８の終端には上壁１５、下壁１６を側方へ延出してストッパー２２を形成し、このストッパー２２の側方先端に架橋片２６を上壁１５と下壁１６との間に架設して開口部分を封止し、全体が空洞化した空洞部２３を設ける。これによってストッパー自体を頑丈な形態に仕上げる。
【００２７】
さらに箱棒５におけるストッパー２２の先端を架橋片３０によって、上壁１５と下壁１６に架設して封止して空洞部２３を設けることによって、箱棒５をかしめ加工する際、箱棒５の上壁１５と下壁１６が長手方向全体で塑性変形するので、ストッパー２２の存在が全体の変形を阻害することがなく、箱棒５の固定を容易かつ確実に行うことができる。また箱棒５をバレル研磨機、自動部品供給装置等で加工する際、箱棒５が単に断面Ｕ字形であるとお互いに絡み合って引っ掛かり、それを分離させる作業が面倒で非能率的である。そこで箱棒５の絡み合いを防ぐため、先端を封止したので絶対に絡み合うことがなく、スムーズに研磨、供給作業を行うことができる。
【００２８】
箱棒５のファスナーテープ２への配置は、ファスナーストリンガー１の端部にファスナーエレメント７を除去して樹脂フィルム８を貼着して補強部１２を形成し、この補強部１２に箱棒５の開口部１８を挿入するとともに、ストッパー２２をファスナーテープ２の端部１１よりも外側に位置する形状で、上壁１５と下壁１６とを加圧し芯部１０を包囲して係止突部２１をファスナーテープ２にかしめ固定して箱棒５を取り付ける。
【００２９】
次に図６〜８に示すように、蝶棒６は箱棒５と同様に長手方向に上壁１５と下壁１６および上壁１５と下壁１６を連結する側壁１７とから形成し、その一側縁に開口部１８を設けて断面Ｕ字状に形成し、先端はやや斜傾状に形成して上開きスライダー４および逆開きスライダー３に容易に挿入できるように形成する。蝶棒６の外側縁部すなわち箱棒５との対向面には箱棒５の突片２５と重合できる突片２７を突設し、この突片２７のファスナーエレメント７側に突出頂面が突片２７の頂面と水平状を呈するように突出した鍵形の突部２８を設ける。また、蝶棒６の内側縁部すなわち外側縁部とは反対側の上壁１５と下壁１６の側端縁に開口部１８内へ突出する係止突部２１を蝶棒６の長手方向に連続状に設ける。
【００３０】
蝶棒６における側壁１７に突片２７を設け、箱棒５の突片２５と重合可能に形成することによって、逆開き具に表裏方向へ突き上げ力が働いても、箱棒５と蝶棒６との位置関係を正確に保持するとともに、蝶棒６の突片２７の端部に突部２８を設けることによって、図１０に示すように蝶棒６を逆開き具に対し差し込むとき、必要以上に差し込むことができないように突部２８が箱棒５の突片２５の上端に当接して停止し適正な係合位置を保持できるものである。
【００３１】
逆開きスライダー３および上開きスライダー４は、内部にファスナーエレメント７が通過するエレメント通路３４を有する。具体的には、上下平行に配置した翼板３３を案内柱３０によって連結して、上下の翼板３３の間にファスナーエレメント７が通過するエレメント通路３４を形成する。エレメント通路３４は逆開きスライダー３の肩口側から後口側、すなわち逆開きスライダー３の前後方向に向けて延び、エレメント通路３４の左右両側には、上下の翼板３３の左右両側縁から突出し、エレメント通路３４内におけるファスナーエレメント７の通過をガイドするフランジ３１が設けられている。この逆開きスライダー３および上開きスライダー４を摺動させることで、左右のファスナーストリンガー１の各ファスナーエレメント７が逆開きスライダー３および上開きスライダー４のエレメント通路３４内を通過して噛合または分離することができる。
【００３２】
逆開き具の操作は、まず、箱棒５を装着したファスナーストリンガー１において、逆開きスライダーを箱棒５に向けて摺動させ、箱棒５のストッパー２２に逆開きスライダー３の肩口側におけるフランジ３１の前端部を当接して係止させる。そして、上開きスライダー４を箱棒５へ向けて摺動させ、上開きスライダー４を逆開きスライダー３の後口に当接した状態で、図９に示すように、他方のファスナーストリンガー１に取り付けた蝶棒６を上開きスライダー４に挿入する。このとき、箱棒５の下端側の外側縁部２０が逆開きスライダー３の案内柱３０に当接し、箱棒５の上端側の内側縁部１９が逆開きスライダー３のフランジ内側面３２に当接している。箱棒５は逆開きスライダー３のエレメント通路３４内において、フランジ３１の前端部、案内柱３０、フランジ内側面３２の三個所に当接することで、所定の姿勢に保持され、ストッパー２２とフランジ３１の端部との係止状態を確実に維持することができる。
【００３３】
上開きスライダー４に挿入した蝶棒６を、図１０に示すように、さらに逆開きスライダー３へ挿入する。蝶棒６は、蝶棒の突片２７に設けた突部２８が箱棒５の突片２５の上端に当接するまで逆開きスライダー３内に差し込まれる。この後、上開きスライダー４を逆開きスライダー３から離間する方向へ摺動させることにより、図１１に示すように、左右のファスナーストリンガー１のファスナーエレメント７が噛合し、左右のファスナーストリンガー１は閉鎖される。また、閉鎖された左右のファスナーストリンガー１について下方のみを開放したいときは、逆開きスライダー３を箱棒５から離間する方向へ摺動させることにより、左右のファスナーストリンガー１のファスナーエレメント７の噛合を分離させる。
【００３４】
閉鎖された左右のファスナーストリンガー１を分離開放する場合は、逆開きスライダー３をストッパー２２に当接した状態で上開きスライダー４を箱棒５へ向けて摺動させて逆開きスライダー３に当接させることにより、左右のファスナーストリンガー１の上側を分離させ、この状態で他方のファスナーストリンガー１に装着した蝶棒６を逆開きスライダー３および上開きスライダー４から抜脱させると左右のファスナーストリンガー１に分離開放することができる。
【産業上の利用可能性】
【００３５】
この発明のスライドファスナー用逆開き開き具の箱棒を備えた開き具は、ファスナーエレメント、箱棒、蝶棒をはじめ上開きスライダー、逆開きスライダーの全てを金属から形成したスライドファスナーを前開きの衣服のジャンパー、オーバーコートなどの前立て部分に取り付けて使用する。
【図面の簡単な説明】
【００３６】
【図１】逆開き具を備えたスライドファスナーの正面図である。
【図２】同上逆開き具における箱棒の取り付け斜視図である。
【図３】同上逆開き具における箱棒の取り付け正面図である。
【図４】同上の図３におけるＡ−Ａ断面図である。
【図５】同上の図３におけるＢ−Ｂ断面図である。
【図６】同上逆開き具における蝶棒の取り付け正面図である。
【図７】同上の図６におけるＣ−Ｃ断面図である。
【図８】同上の蝶棒の取り付け斜視図である。
【図９】同上の逆開き具に対し蝶棒を挿入時の状態を示す断面図である。
【図１０】同上の逆開き具に対し蝶棒を挿入後の状態を示す断面図である。
【図１１】同上逆開き具に対しファスナーエレメントが噛合した状態を示す断面図である。
【図１２】公知の逆開き具の箱棒の斜視図である。
【符号の説明】
【００３７】
１            ファスナーストリンガー
２            ファスナーテープ
３            逆開きスライダー
４            上開きスライダー
５            箱棒
６            蝶棒
１５            上壁
１６            下壁
１７            側壁
１８            開口部
１９            内側縁部
２０            外側縁部
２１            係止突部
２２            ストッパー
２３            空洞部
２４            窪み部
２５            突片（箱棒）
２７            突片（蝶棒）
２８            突部
３０            案内柱
３１            フランジ
３２            フランジ内側面
【図１】
2005245859.tif 000003
【図２】
2005245859.tif 000004
【図３】
2005245859.tif 000005
【図４】
2005245859.tif 000006
【図５】
2005245859.tif 000007
【図６】
2005245859.tif 000008
【図７】
2005245859.tif 000009
【図８】
2005245859.tif 000010
【図９】
2005245859.tif 000011
【図１０】
2005245859.tif 000012
【図１１】
2005245859.tif 000013
【図１２】
2005245859.tif 000014